(57)【要約】【課題】無線通信を容易に利用する。【解決手段】情報処理装置は、管理部および制御部を具備する。この管理部は、無線通信を利用して所定のネットワークに接続する際における認証に用いられる情報であって第１無線通信装置に保持されている設定情報を管理するものである。また、制御部は、その設定情報の要求を受け付けた際に、その要求に基づいて第２無線通信装置にその設定情報を、接続可能な通信経路を利用して提供するための制御を行うものである。【選択図】図３
2013211648.tif 000002
【特許請求の範囲】
【請求項１】
無線通信を利用して所定のネットワークに接続する際における認証に用いられる情報であって第１無線通信装置に保持されている設定情報を管理する管理部と、
前記設定情報の要求を受け付けた際に前記要求に基づいて第２無線通信装置に前記設定情報を接続可能な通信経路を利用して提供するための制御を行う制御部と
を具備する情報処理装置。
【請求項２】
前記制御部は、前記要求を前記第１無線通信装置から受け付けた場合には、前記第２無線通信装置に前記情報処理装置にアクセスするためのアクセス情報を送信して前記アクセス情報に応じてアクセスした前記第２無線通信装置に前記設定情報を提供する請求項１記載の情報処理装置。
【請求項３】
前記第１無線通信装置は、前記アクセス情報を送信するための送信先情報をユーザ操作により受け付けた際に前記送信先情報を含む前記要求を前記情報処理装置に送信し、
前記制御部は、前記要求に含まれる前記送信先情報に基づいて前記第２無線通信装置に前記アクセス情報を送信する
請求項２記載の情報処理装置。
【請求項４】
前記第２無線通信装置は、前記情報処理装置から送信されたアクセス情報を用いた前記設定情報を取得するためのユーザ操作が受け付けられた場合に前記情報処理装置にアクセスし、
前記制御部は、前記ユーザ操作に応じてアクセスした前記第２無線通信装置に前記設定情報を提供する
請求項２記載の情報処理装置。
【請求項５】
前記制御部は、前記要求を前記第１無線通信装置から受け付けた場合には、前記第１無線通信装置のユーザと前記第２無線通信装置のユーザとに関連する複数のユーザに関するユーザ情報を管理する管理装置に、前記情報処理装置にアクセスするためのアクセス情報の前記第２無線通信装置への送信を要求する請求項１記載の情報処理装置。
【請求項６】
前記管理装置は、会員制サービスに関する情報を前記ユーザ情報として管理する請求項５記載の情報処理装置。
【請求項７】
前記制御部は、前記要求を前記第２無線通信装置から受け付けた場合には、前記第２無線通信装置に関する位置情報が所定条件を満たすことを条件に前記設定情報を前記第２無線通信装置に提供する請求項１記載の情報処理装置。
【請求項８】
前記制御部は、前記位置情報により特定される前記第２無線通信装置が存在する位置が、前記設定情報を用いた無線通信が可能なエリアに含まれる場合に、前記所定条件を満たすと判断する請求項７記載の情報処理装置。
【請求項９】
前記設定情報は、無線ＬＡＮを利用して前記ネットワークに接続する際における認証に用いられる情報である請求項１記載の情報処理装置。
【請求項１０】
前記管理部は、前記第１無線通信装置からの要求に応じて前記設定情報を登録するデータベースである請求項１記載の情報処理装置。
【請求項１１】
前記管理部は、前記第１無線通信装置のユーザ毎に１または複数の前記設定情報を登録するデータベースである請求項１記載の情報処理装置。
【請求項１２】
無線通信を利用して所定のネットワークに接続する際における認証に用いられる設定情報を保持する第１無線通信装置と、
前記設定情報を管理する管理部と、前記設定情報の要求を受け付けた際に前記要求に基づいて前記設定情報を第２無線通信装置に提供するための制御を行う制御部とを備える情報処理装置と、
接続可能な通信経路を利用して前記設定情報を前記情報処理装置から受信して保存する第２無線通信装置と
を具備する通信システム。
【請求項１３】
無線通信を利用して所定のネットワークに接続する際における認証に用いられる情報であって第１無線通信装置に保持されている設定情報の要求を前記第１無線通信装置から受け付ける受付手順と、
前記設定情報の要求が受け付けられた場合に、前記設定情報を管理する管理部に管理されている前記設定情報を第２無線通信装置に提供するための制御を行う制御手順と
を具備する情報処理方法。
【発明の詳細な説明】
【技術分野】
【０００１】
本技術は、情報処理装置に関する。詳しくは、ネットワークに接続する情報処理装置、通信システムおよび情報処理方法に関する。
【背景技術】
【０００２】
現在、３Ｇ（3rd Generation：第３世代携帯電話）等の公衆無線網のネットワークを利用して無線通信を行う無線通信装置が広く普及している。また、無線ＬＡＮ（Local Area Network）を利用して無線通信を行う無線通信装置が広く普及している。
【０００３】
例えば、公衆無線網等のネットワークに接続する場合には、契約認証情報（例えば、ＵＳＩＭ（Universal Subscriber Identity Module）を用いてその接続が行われる。例えば、ＵＳＩＭ機能を付加するカードが装着される携帯電話装置が提案されている（例えば、特許文献１参照。）。
【先行技術文献】
【特許文献】
【０００４】
【特許文献１】特開２００８−２１０３０１号公報
【発明の概要】
【発明が解決しようとする課題】
【０００５】
上述の従来技術では、例えば、３Ｇ等の公衆無線網のネットワークを利用する場合には、ユーザは、無線通信装置の設定作業を行うことなく、ネットワークを利用することができる。これに対して、無線ＬＡＮを利用する場合には、ユーザは、使用する無線ＬＡＮ毎に設定作業（例えば、ＩＤやパスワードの入力操作）を行う必要があり、その設定作業が煩雑となるおそれがある。このため、例えば、無線ＬＡＮを利用する場合でも、無線通信を容易に利用することができれば、便利である。
【０００６】
本技術はこのような状況に鑑みて生み出されたものであり、無線通信を容易に利用することを目的とする。
【課題を解決するための手段】
【０００７】
本技術は、上述の問題点を解消するためになされたものであり、その第１の側面は、無線通信を利用して所定のネットワークに接続する際における認証に用いられる情報であって第１無線通信装置に保持されている設定情報を管理する管理部と、上記設定情報の要求を受け付けた際に上記要求に基づいて第２無線通信装置に上記設定情報を接続可能な通信経路を利用して提供するための制御を行う制御部とを具備する情報処理装置および情報処理方法ならびに当該方法をコンピュータに実行させるプログラムである。これにより、設定情報の要求を受け付けた際に、その要求に基づいて第２無線通信装置に設定情報を、接続可能な通信経路を利用して提供するという作用をもたらす。
【０００８】
また、この第１の側面において、上記制御部は、上記要求を上記第１無線通信装置から受け付けた場合には、上記第２無線通信装置に上記情報処理装置にアクセスするためのアクセス情報を送信して上記アクセス情報に応じてアクセスした上記第２無線通信装置に上記設定情報を提供するようにしてもよい。これにより、その要求を第１無線通信装置から受け付けた場合には、第２無線通信装置にアクセス情報を送信し、このアクセス情報に応じてアクセスした第２無線通信装置に設定情報を提供するという作用をもたらす。
【０００９】
また、この第１の側面において、上記第１無線通信装置は、上記アクセス情報を送信するための送信先情報をユーザ操作により受け付けた際に上記送信先情報を含む上記要求を上記情報処理装置に送信し、上記制御部は、上記要求に含まれる上記送信先情報に基づいて上記第２無線通信装置に上記アクセス情報を送信するようにしてもよい。これにより、その要求に含まれる送信先情報に基づいて第２無線通信装置にアクセス情報を送信するという作用をもたらす。
【００１０】
また、この第１の側面において、上記第２無線通信装置は、上記情報処理装置から送信されたアクセス情報を用いた上記設定情報を取得するためのユーザ操作が受け付けられた場合に上記情報処理装置にアクセスし、上記制御部は、上記ユーザ操作に応じてアクセスした上記第２無線通信装置に上記設定情報を提供するようにしてもよい。これにより、ユーザ操作に応じてアクセスした第２無線通信装置に設定情報を提供するという作用をもたらす。
【００１１】
また、この第１の側面において、上記制御部は、上記要求を上記第１無線通信装置から受け付けた場合には、上記第１無線通信装置のユーザと上記第２無線通信装置のユーザとに関連する複数のユーザに関するユーザ情報を管理する管理装置に、上記情報処理装置にアクセスするためのアクセス情報の上記第２無線通信装置への送信を要求するようにしてもよい。これにより、その要求を第１無線通信装置から受け付けた場合には、ユーザ情報を管理する管理装置に、アクセス情報の第２無線通信装置への送信を要求するという作用をもたらす。
【００１２】
また、この第１の側面において、上記管理装置は、会員制サービスに関する情報を上記ユーザ情報として管理するようにしてもよい。これにより、会員制サービスに関する情報をユーザ情報として管理するという作用をもたらす。
【００１３】
また、この第１の側面において、上記制御部は、上記要求を上記第２無線通信装置から受け付けた場合には、上記第２無線通信装置に関する位置情報が所定条件を満たすことを条件に上記設定情報を上記第２無線通信装置に提供するようにしてもよい。これにより、その要求を第２無線通信装置から受け付けた場合には、第２無線通信装置に関する位置情報が所定条件を満たすことを条件に、設定情報を第２無線通信装置に提供するという作用をもたらす。
【００１４】
また、この第１の側面において、上記制御部は、上記位置情報により特定される上記第２無線通信装置が存在する位置が、上記設定情報を用いた無線通信が可能なエリアに含まれる場合に、上記所定条件を満たすと判断するようにしてもよい。これにより、位置情報により特定される第２無線通信装置が存在する位置が、設定情報を用いた無線通信が可能なエリアに含まれる場合に、所定条件を満たすと判断するという作用をもたらす。
【００１５】
また、この第１の側面において、上記設定情報を、無線ＬＡＮを利用して上記ネットワークに接続する際における認証に用いられる情報とするようにしてもよい。これにより、無線ＬＡＮを利用してネットワークに接続する際における認証に用いられる情報を用いるという作用をもたらす。
【００１６】
また、この第１の側面において、上記管理部を、上記第１無線通信装置からの要求に応じて上記設定情報を登録するデータベースとするようにしてもよい。これにより、第１無線通信装置からの要求に応じて設定情報を登録するデータベースを用いるという作用をもたらす。
【００１７】
また、この第１の側面において、上記管理部を、上記第１無線通信装置のユーザ毎に１または複数の上記設定情報を登録するデータベースとするようにしてもよい。これにより、第１無線通信装置のユーザ毎に１または複数の設定情報を登録するデータベースを用いるという作用をもたらす。
【００１８】
また、本技術の第２の側面は、無線通信を利用して所定のネットワークに接続する際における認証に用いられる設定情報を保持する第１無線通信装置と、上記設定情報を管理する管理部と、上記設定情報の要求を受け付けた際に上記要求に基づいて上記設定情報を第２無線通信装置に提供するための制御を行う制御部とを備える情報処理装置と、接続可能な通信経路を利用して上記設定情報を上記情報処理装置から受信して保存する第２無線通信装置とを具備する通信システムおよびその処理方法ならびに当該方法をコンピュータに実行させるプログラムである。これにより、設定情報の要求を受け付けた際に、その要求に基づいて第２無線通信装置に設定情報を、接続可能な通信経路を利用して提供するという作用をもたらす。
【発明の効果】
【００１９】
本技術によれば、無線通信を容易に利用することができるという優れた効果を奏し得る。
【図面の簡単な説明】
【００２０】
【図１】本技術の第１の実施の形態における複数の無線通信装置（デバイス）の使用例を簡略化して示す図である。
【図２】本技術の第１の実施の形態における通信システム１００のシステム構成例を示すブロック図である。
【図３】本技術の第１の実施の形態における設定サーバ２００および情報処理装置（ＳＮＳ）３００の機能構成例を示すブロック図である。
【図４】本技術の第１の実施の形態における設定情報管理データベース２３０を模式的に示す図である。
【図５】本技術の第１の実施の形態における友人リスト管理データベース３３０を模式的に示す図である。
【図６】本技術の第１の実施の形態における第１無線通信装置４００の内部構成例を示すブロック図である。
【図７】本技術の第１の実施の形態における第１無線通信装置４００の表示部４７０に表示される表示画面例を示す図である。
【図８】本技術の第１の実施の形態における通信システム１００を構成する各装置間における通信処理例を示すシーケンスチャートである。
【図９】本技術の第１の実施の形態における第１無線通信装置４００および第２無線通信装置５００の表示部４７０に表示される表示画面例を示す図である。
【図１０】本技術の第１の実施の形態における第１無線通信装置４００および第２無線通信装置５００の表示部４７０に表示される表示画面例を示す図である。
【図１１】本技術の第１の実施の形態における通信システム１００を構成する各装置間における通信処理例を示すシーケンスチャートである。
【図１２】本技術の第１の実施の形態における第２無線通信装置５００の設定情報の取得時における遷移例を模式的に示す図である。
【図１３】本技術の第１の実施の形態における設定サーバ２００による通信処理の処理手順の一例を示すフローチャートである。
【図１４】本技術の第２の実施の形態における第１無線通信装置４００および第２無線通信装置５００の表示部４７０に表示される表示画面例を示す図である。
【図１５】本技術の第２の実施の形態における通信システム１００を構成する各装置間における通信処理例を示すシーケンスチャートである。
【図１６】本技術の第２の実施の形態における通信システム１００を構成する各装置間における通信処理例を示すシーケンスチャートである。
【図１７】本技術の第２の実施の形態における設定サーバ２００による通信処理の処理手順の一例を示すフローチャートである。
【図１８】本技術の第３の実施の形態における第２無線通信装置５００の表示部４７０に表示される表示画面例を示す図である。
【図１９】本技術の第３の実施の形態における通信システム１００を構成する各装置間における通信処理例を示すシーケンスチャートである。
【発明を実施するための形態】
【００２１】
以下、本技術を実施するための形態（以下、実施の形態と称する）について説明する。説明は以下の順序により行う。
１．第１の実施の形態（設定情報提供制御：電子メールアドレスを用いて設定情報の送信先を指定する例）
２．第２の実施の形態（設定情報提供制御：ＳＮＳを利用して設定情報の送信先を指定する例）
３．第３の実施の形態（設定情報提供制御：位置情報を用いて設定情報を取得する例）
【００２２】
＜１．第１の実施の形態＞
［無線通信装置の使用例］
図１は、本技術の第１の実施の形態における複数の無線通信装置（デバイス）の使用例を簡略化して示す図である。例えば、ホスト１０の自宅３０において、ホスト１０は、所有する無線通信装置５０を家庭内無線ＬＡＮ（Local Area Network）４０に接続して通信を行うことができるものとする。
【００２３】
ここで、無線ＬＡＮネットワークを利用する場合には、使用する無線通信装置毎に設定情報（例えば、ＳＳＩＤ（Service Set Identifier）、ＫＥＹ（暗号キー））の入力が必要となる。このため、ホスト１０は、無線通信装置５０を家庭内無線ＬＡＮ４０に接続して通信を行うための設定情報（認証情報）を入力する必要がある。また、ホスト１０の自宅３０において、他の無線通信装置を家庭内無線ＬＡＮ４０に接続して通信を行う場合についても同様に、設定情報を入力する必要がある。
【００２４】
例えば、ホスト１０の友人であるゲスト２０が、ホスト１０の自宅３０に招待されてきた場合を想定する。この場合に、ゲスト２０が所有する無線通信装置６０を家庭内無線ＬＡＮ４０に接続して通信を行うためには、その設定情報を入力する必要がある。このため、ホスト１０は、家庭内無線ＬＡＮ４０の設定情報（例えば、ＳＳＩＤ、ＫＥＹ）を調べてゲスト２０に教え、ゲスト２０は、その設定情報を無線通信装置６０に設定する必要がある。
【００２５】
しかしながら、ゲスト２０が所有する無線通信装置６０を用いて自宅３０の家庭内無線ＬＡＮ４０を使用する場合に、少ない設定作業で家庭内無線ＬＡＮ６０を使用することが好ましい。そこで、本技術の実施の形態では、ゲスト２０が所有する無線通信装置６０を用いて、自宅３０の家庭内無線ＬＡＮ４０を容易に使用する例を示す。
【００２６】
［通信システムの構成例］
図２は、本技術の第１の実施の形態における通信システム１００のシステム構成例を示すブロック図である。
【００２７】
通信システム１００は、ネットワーク１１０と、通信制御装置１２０と、基地局１２１と、ルータ（家庭内無線ＬＡＮ）１３０と、アクセスポイント１３１と、位置情報管理サーバ１４０とを備える。また、通信システム１００は、設定サーバ２００と、情報処理装置（ＳＮＳ）３００と、第１無線通信装置４００と、第２無線通信装置５００とを備える。
【００２８】
ネットワーク１１０は、電話網、インターネット等のネットワーク（例えば、公衆回線網）である。また、ネットワーク１１０と通信制御装置１２０とは、ゲートウェイ（図示せず）を介して接続される。また、ネットワーク１１０とルータ（家庭内無線ＬＡＮ）１３０とは、ブロードバンド回線（図示せず）を介して接続される。なお、ブロードバンド回線は、例えば、ＡＤＳＬ（Asymmetric Digital Subscriber Line）、ＦＴＴＨ（Fiber To The Home）、ＣＡＴＶ（CAble TeleVision）等の回線である。
【００２９】
通信制御装置１２０は、無線接続サービスを提供する無線事業者により管理される通信制御装置である。すなわち、通信制御装置１２０は、インターネット・サービス等を提供するものであり、例えば、無線接続サービスを提供する無線事業者（例えば、携帯電話事業者）に対応する。
【００３０】
例えば、通信制御装置１２０は、基地局１２１を介して接続される無線通信装置の認証制御を行う。例えば、通信制御装置１２０は、基地局１２１を介して接続される無線通信装置のうち、通信制御装置１２０の契約認証情報を保持する無線通信装置を認証する。そして、通信制御装置１２０は、認証された無線通信装置をゲートウェイ（図示せず）を介してネットワーク１１０に接続する。
【００３１】
基地局１２１は、認証された無線通信装置と通信制御装置１２０とを無線回線を介して接続する移動体通信基地局（ＮｏｄｅＢ）である。
【００３２】
ルータ（家庭内無線ＬＡＮ）１３０は、アクセスポイント１３１を介して接続される無線通信装置をネットワーク１１０に接続するための通信機器であり、例えば、家庭内に設置される。
【００３３】
アクセスポイント１３１は、例えば、ＩＥＥＥ（Institute of Electrical and Electronics Engineers）８０２．１１ａ／ｂ／ｇ／ｎ等の無線ＬＡＮ方式に対応するアクセスポイントである。すなわち、ルータ（家庭内無線ＬＡＮ）１３０およびアクセスポイント１３１により、ＩＥＥＥ８０２．１１ａ／ｂ／ｇ／ｎにより規格化された無線ＬＡＮが実現される。
【００３４】
位置情報管理サーバ１４０は、ネットワーク１１０を介して接続される無線通信装置が存在する位置に関する情報（位置情報（例えば、緯度および経度））を管理する情報処理装置である。例えば、位置情報管理サーバ１４０は、定期的または不定期に、ネットワーク１１０を介して各無線通信装置から位置情報を取得し、取得された位置情報を無線通信装置毎に記録する。また、位置情報管理サーバ１４０は、設定サーバ２００の要求に応じて、管理されている各無線通信装置の位置情報を設定サーバ２００に提供する。なお、位置情報管理サーバ１４０を用いる例については、本技術の第３の実施の形態で説明する。
【００３５】
設定サーバ２００は、ネットワーク１１０を介して接続される無線通信装置の設定情報（例えば、ＩＤ、パスワード）を管理する情報処理装置である。また、設定サーバ２００は、無線通信装置からの要求（アクセス許可要求）に応じて、管理されている設定情報をその要求に応じた無線通信装置に提供する。なお、設定サーバ２００については、図３を参照して詳細に説明する。また、設定サーバ２００は、特許請求の範囲に記載の情報処理装置の一例である。
【００３６】
情報処理装置（ＳＮＳ）３００は、ネットワーク１１０を介して接続される無線通信装置のユーザに関する各種情報（例えば、友人リスト）を管理する情報処理装置である。すなわち、情報処理装置（ＳＮＳ）３００によりＳＮＳ（Social Networking Service）が実現される。なお、情報処理装置（ＳＮＳ）３００を用いる例については、本技術の第２の実施の形態で説明する。また、情報処理装置（ＳＮＳ）３００については、図３を参照して詳細に説明する。
【００３７】
第１無線通信装置４００、第２無線通信装置５００は、例えば、携帯電話装置（例えば、通話機能およびデータ通信機能を備えるスマートフォンやタブレット端末）である。
【００３８】
また、第１無線通信装置４００は、契約認証情報４０１、設定情報４０２を保持し、第２無線通信装置５００は、契約認証情報５０１のみを保持するものとする。
【００３９】
ここで、契約認証情報は、例えば、電話の加入者（Subscriber）情報と、認証鍵（Authentication）の情報とを含む情報であり、例えば、基地局１２１を介して通信制御装置１２０と接続するための情報である。契約認証情報は、例えば、ＵＳＩＭ（Universal Subscriber Identity Module）に対応する。
【００４０】
また、設定情報は、無線ＬＡＮを利用して接続を要求する無線通信装置に対する認証を行い、接続権限を与える際に用いられる情報である。すなわち、設定情報は、無線通信を利用して所定のネットワークに接続する際における認証に用いられる情報である。例えば、設定情報４０２は、アクセスポイント１３１に接続するための情報であり、例えば、ＳＳＩＤ（Service Set Identifier）、ＫＥＹ（暗号キー）に対応する。
【００４１】
例えば、第１無線通信装置４００は、契約認証情報４０１に基づいて基地局１２１を介して通信制御装置１２０と接続し、ネットワーク１１０に接続することができる。同様に、例えば、第２無線通信装置５００は、契約認証情報５０１に基づいて基地局１２１を介して通信制御装置１２０と接続し、ネットワーク１１０に接続することができる。
【００４２】
また、例えば、第１無線通信装置４００は、設定情報４０２に基づいて、アクセスポイント１３１を介してルータ（家庭内無線ＬＡＮ）１３０に接続し、ネットワーク１１０に接続することができる。
【００４３】
これに対して、第２無線通信装置５００は、設定情報を保持していないため、アクセスポイント１３１に接続することができない。このため、第２無線通信装置５００は、無線ＬＡＮを介してネットワーク１１０に接続することができない。
【００４４】
［設定サーバおよび許可サーバの構成例］
図３は、本技術の第１の実施の形態における設定サーバ２００および情報処理装置（ＳＮＳ）３００の機能構成例を示すブロック図である。
【００４５】
設定サーバ２００は、通信部２１０と、制御部２２０と、設定情報管理データベース２３０とを備える。
【００４６】
通信部２１０は、ネットワーク１１０と接続され、制御部２２０の制御に基づいて、ネットワーク１１０を介して接続される各無線通信装置との間で各情報のやりとりを行うものである。また、通信部２１０は、情報処理装置（ＳＮＳ）３００と接続され、制御部２２０の制御に基づいて、情報処理装置（ＳＮＳ）３００との間で各情報のやりとりを行う。例えば、通信部２１０は、各無線通信装置から送信される各情報（例えば、図８に示すログイン要求）を、ネットワーク１１０を介して受け付け、その受け付けられた各情報を制御部２２０に出力する。また、通信部２１０は、制御部２２０から出力された各情報を各無線通信装置に、ネットワーク１１０を介して送信する。
【００４７】
制御部２２０は、ネットワーク１１０を介して接続される各無線通信装置との間で行われる通信に関する各処理を行うものである。例えば、制御部２２０は、ユーザ操作に応じて無線通信装置から送信される設定情報の要求が受け付けられた場合に、設定情報管理データベース２３０に管理されている設定情報を無線通信装置に提供するための制御を行う。例えば、制御部２２０は、その設定情報の要求を受け付けた際に、その要求に基づいて無線通信装置に設定情報を、接続可能な通信経路を利用して提供するための制御を行う。例えば、制御部２２０は、その要求（アクセス許可要求）を第１無線通信装置４００から受け付けた場合に、設定サーバ２００にアクセスするためのアクセス情報を第２無線通信装置５００に送信する。そして、制御部２２０は、そのアクセス情報に応じてアクセスした第２無線通信装置５００に設定情報を提供する。
【００４８】
設定情報管理データベース２３０は、無線通信装置に保持されている設定情報を管理するための各情報を格納するデータベースである。なお、設定情報管理データベース２３０については、図４を参照して詳細に説明する。また、設定情報管理データベース２３０は、特許請求の範囲に記載の管理部の一例である。
【００４９】
情報処理装置（ＳＮＳ）３００は、通信部３１０と、制御部３２０と、友人リスト管理データベース３３０とを備える。
【００５０】
通信部３１０は、設定サーバ２００と接続され、制御部３２０の制御に基づいて、設定サーバ２００との間で各情報のやりとりを行うものである。例えば、通信部３１０は、設定サーバ２００からの友人リスト取得要求（図１５に示す）を受け付け、この受け付けられた友人リスト取得要求を制御部３２０に出力する。また、通信部３１０は、制御部３２０から出力された友人リスト情報（図１５に示す）を設定サーバ２００に送信する。
【００５１】
制御部３２０は、設定サーバ２００との間で行われる通信に関する各処理を行うものである。例えば、制御部３２０は、設定サーバ２００からの友人リスト取得要求（図１５に示す）に対して認証処理を行い、この認証結果に基づいて、友人リスト情報（図１５に示す）を出力する。
【００５２】
友人リスト管理データベース３３０は、各無線通信装置を所有するユーザに関する各種情報を格納するデータベースである。なお、友人リスト管理データベース３３０については、図５を参照して詳細に説明する。
【００５３】
［設定情報管理データベースの構成例］
図４は、本技術の第１の実施の形態における設定情報管理データベース２３０を模式的に示す図である。
【００５４】
設定情報管理データベース２３０には、ユーザＩＤ２３１と、パスワード２３２と、端末識別情報２３３と、ユーザ名称２３４と、登録情報２３５とが関連付けて記憶されている。これらの情報は、例えば、無線通信装置からの登録修正要求に基づいて、制御部２２０により順次更新される。例えば、第１無線通信装置４００のユーザが、アクセスポイント１３１に接続するための設定情報（設定情報４０２）の登録操作を行った場合に、設定情報４０２が設定情報管理データベース２３０に登録される。
【００５５】
ユーザＩＤ２３１には、各ユーザを識別するための識別情報が格納される。また、パスワード２３２には、各ユーザに付与されるパスワードが格納される。
【００５６】
端末識別情報２３３には、各無線通信装置を識別するための識別情報（例えば、機器固有ＩＤ）が格納される。端末識別情報２３３には、例えば、ＩＭＥＩ（International Mobile Equipment Identity）が格納される。なお、ＩＭＥＩは、１５桁の数字により表されるが、説明の容易のため、図４等では、ＩＭＥＩを「ＡＡＡＡ」、「ＢＢＢＢ」等で表す。例えば、端末識別情報２３３の「ＡＡＡＡ」が第１無線通信装置４００に対応するものとする。
【００５７】
ユーザ名称２３４には、各ユーザにより付与された名称が格納される。
【００５８】
登録情報２３５には、無線ＬＡＮに接続する際に用いられる設定情報に関する各情報が格納される。登録情報２３５には、例えば、種類と、設定情報と、名称と、位置情報とが格納される。種類は、設定情報を用いて接続される無線ＬＡＮの種類である。設定情報は、無線ＬＡＮのアクセスポイントに接続する際に用いられる情報である。例えば、公衆無線ＬＡＮの設定情報は、ＩＤおよびパスワードの組合せである。また、家庭内無線ＬＡＮの設定情報は、ＳＳＩＤ、ＫＥＹ（暗号キー）の組合せである。名称は、各無線ＬＡＮを識別するために、ユーザにより設定される名称である。また、位置情報は、無線ＬＡＮが設置されている場所を特定するための位置情報であり、例えば、緯度および経度が格納される。
【００５９】
このように、設定情報管理データベース２３０は、無線通信装置に保持されている設定情報を管理する。また、設定情報管理データベース２３０には、無線通信装置からの要求に応じて設定情報が登録される。この場合に、無線通信装置のユーザ毎に１または複数の設定情報が登録される。
【００６０】
［友人リスト管理データベースの構成例］
図５は、本技術の第１の実施の形態における友人リスト管理データベース３３０を模式的に示す図である。
【００６１】
友人リスト管理データベース３３０には、ユーザＩＤ３３１と、パスワード３３２と、ユーザ名称３３３と、友人リスト３３４とが関連付けて記憶されている。これらの情報は、例えば、各無線通信装置からの要求に基づいて、制御部３２０により順次更新される。
【００６２】
ユーザＩＤ３３１には、各ユーザを識別するための識別情報が格納される。また、パスワード３３２には、各ユーザに付与されるパスワードが格納される。なお、これらの情報は、図４に示すユーザＩＤ２３１およびパスワード２３２に対応させるようにしてもよく、異なるものとしてもよい。
【００６３】
ユーザ名称３３３には、各ユーザを識別するための名称が格納される。
【００６４】
友人リスト３３４には、各ユーザの友人に関する各種情報が格納される。例えば、友人名称、電子メールアドレス、友人情報が友人毎に関連付けて格納される。
【００６５】
このように、友人リスト管理データベース３３０には、例えば、情報処理装置（ＳＮＳ）３００を管理、運営するサービス提供会社との間で、会員制サービスの利用をするための契約をしているユーザの友人に関する各種情報がユーザ情報として格納される。すなわち、情報処理装置（ＳＮＳ）３００は、会員制サービスに関する情報をユーザ情報として管理する管理装置である。
【００６６】
［無線通信装置の構成例］
図６は、本技術の第１の実施の形態における第１無線通信装置４００の内部構成例を示すブロック図である。なお、第２無線通信装置５００の内部構成は、第１無線通信装置４００と略同様であるため、第２無線通信装置５００についての説明を省略する。
【００６７】
第１無線通信装置４００は、アンテナ４１１、４２１と、通信部４１０と、無線ＬＡＮ通信部４２０と、制御部４３０と、メモリ４４０と、契約認証情報記憶部４５０と、設定情報記憶部４５５とを備える。また、第１無線通信装置４００は、操作部４６０と、表示部４７０と、位置情報取得部４８０と、マイクロフォン４９１と、スピーカ４９２とを備える。また、各部がバス４３１により接続される。
【００６８】
通信部４１０は、アンテナ共用部４１２と、復調部４１３と、変調部４１４とを備える。例えば、３Ｇネットワークを使用して受信処理が行われる場合には、アンテナ４１１により受信された電波が、アンテナ共用部４１２を経由して復調部４１３により復調され、この復調された受信データが制御部４３０に供給される。その受信処理が受話処理である場合には、その復調された受信データ（音声データ）が制御部４３０を経由してスピーカ４９２から音声として出力される。
【００６９】
また、例えば、３Ｇネットワークを使用して送信処理が行われる場合には、制御部４３０により出力された送信データが変調部４１４により変調され、変調された送信データがアンテナ共用部４１２を経由してアンテナ４１１から送信される。その送信処理が送話処理である場合には、マイクロフォン４９１から入力された音声データが制御部４３０を経由して変調部４１４により変調され、変調された送信データ（音声データ）がアンテナ共用部４１２を経由してアンテナ４１１から送信される。
【００７０】
無線ＬＡＮ通信部４２０は、アンテナ共用部４２２と、復調部４２３と、変調部４２４とを備える。なお、アンテナ４２１、アンテナ共用部４２２、復調部４２３および変調部４２４の各機能については、通信方式が異なるが、アンテナ４１１、アンテナ共用部４１２、復調部４１３および変調部４１４に対応するものである。このため、ここでの詳細な説明を省略する。
【００７１】
すなわち、無線ＬＡＮ通信部４２０は、制御部４３０の制御に基づいて、アクセスポイント１３１との間で、無線ＬＡＮ方式に対応する無線通信を行うものである。
【００７２】
制御部４３０は、メモリ４４０に格納されている制御プログラムに基づいて各種の制御を行うものである。制御部４３０は、例えば、マイクロプロセッサにより構成される。例えば、制御部４３０は、復調部４１３および変調部４１４と接続され、基地局１２１を介して接続される通信制御装置１２０との間で行われる各種データの送受信を行う。
【００７３】
メモリ４４０は、制御部４３０が各種制御を行うための制御プログラム、送信データ、受信データ等を格納するメモリである。メモリ４４０は、例えば、ＲＯＭ（Read Only Memory）やＲＡＭ（Random Access Memory）により構成される。また、メモリ４４０には、第１無線通信装置４００を特定するための端末識別情報（例えば、ＩＭＥＩ）が記憶されている。この端末識別情報が、設定サーバ２００に送信される各情報に含まれる。
【００７４】
契約認証情報記憶部４５０は、契約認証情報を保持するメモリである。契約認証情報記憶部４５０として、例えば、ＵＩＣＣ（Universal Integrated Circuit）カードを用いるようにしてもよく、契約認証情報をセキュアに保つための専用メモリを用いるようにしてもよい。また、メモリ４４０にセキュアな領域を確保することにより、契約認証情報記憶部４５０をメモリ４４０内に設けるようにしてもよい。
【００７５】
設定情報記憶部４５５は、設定情報を保持するメモリである。なお、メモリ４４０にセキュアな領域を確保することにより、設定情報記憶部４５５をメモリ４４０内に設けるようにしてもよい。
【００７６】
操作部４６０は、ユーザにより操作された操作入力を受け付ける操作受付部であり、受け付けられた操作入力に応じた信号を制御部４３０に出力する。操作部４６０は、数字キーやアルファベットキー等の各種キーを備える。また、操作部４６０は、設定サーバ２００との間で各種通信サービスを行うための操作を受け付ける。
【００７７】
表示部４７０は、制御部４３０の制御に基づいて、各種情報（文字情報や時刻情報等）を表示する表示部である。表示部４７０は、例えば、設定サーバ２００との間で各種通信サービスを行うための各情報（例えば、図７、図９に示す表示画面）を表示する。なお、表示部４７０として、例えば、有機ＥＬ（Electro Luminescence）パネル、ＬＣＤ（Liquid Crystal Display）パネル等の表示パネルを用いることができる。なお、操作部４６０および表示部４７０については、使用者がその指を表示面に接触または近接することにより操作入力を行うことが可能なタッチパネルを用いて一体で構成することができる。
【００７８】
位置情報取得部４８０は、第１無線通信装置４００が存在する位置を示す位置情報を取得するものであり、この取得された位置情報を制御部４３０に出力する。位置情報取得部４８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【００７９】
また、位置情報取得部４８０により取得された位置情報が、定期的または不定期に、ネットワーク１１０を介して位置情報管理サーバ１４０に送信され、第１無線通信装置４００に関連付けられて記録される。
【００８０】
［設定情報の登録時における表示遷移例］
図７は、本技術の第１の実施の形態における第１無線通信装置４００の表示部４７０に表示される表示画面例を示す図である。これらの各表示画面は、例えば、設定サーバ２００から送信される各情報に基づいて表示される。
【００８１】
図７（ａ）には、設定サーバ２００に設定情報を登録する際にログイン操作を行うためのログイン画面の一例（ログイン画面６００）を示す。
【００８２】
ログイン画面６００には、ユーザＩＤ入力領域６０１と、パスワード入力領域６０２と、キャンセルボタン６０３と、ＯＫボタン６０４とが設けられている。
【００８３】
ユーザＩＤ入力領域６０１は、第１無線通信装置４００のユーザが設定サーバ２００を管理運営する会社との間で契約している設定情報登録サービスを利用するためのユーザＩＤを入力するための領域である。
【００８４】
パスワード入力領域６０２は、第１無線通信装置４００のユーザが設定サーバ２００を管理運営する会社との間で契約している設定情報登録サービスを利用するためのパスワードを入力するための領域である。すなわち、ユーザＩＤ入力領域６０１には、設定情報登録サービスのユーザＩＤが入力され、パスワード入力領域６０２には、設定情報登録サービスのパスワードが入力される。具体的には、ユーザＩＤ入力領域６０１には、図４に示すユーザＩＤ２３１に格納されている情報が入力され、パスワード入力領域６０２には、図４に示すパスワード２３２に格納されている情報が入力される。なお、パスワードについては、実際の画面ではセキュリティの観点から非表示となるため、図７では「＊＊＊＊」で示す。
【００８５】
このように、ユーザＩＤ入力領域６０１およびパスワード入力領域６０２に各情報が入力され、ＯＫボタン６０４が押下されると、設定情報を入力するための設定情報入力画面に遷移する。この表示例を図７（ｂ）に示す。
【００８６】
また、それらの各情報の入力後にＯＫボタン６０４が押下されると、制御部４３０は、入力された各情報を含むログイン要求（図８に示す）を設定サーバ２００に送信する。
【００８７】
なお、ユーザＩＤ入力領域６０１およびパスワード入力領域６０２に入力された内容をキャンセルする場合には、キャンセルボタン６０３を押下する。
【００８８】
図７（ｂ）には、図７（ａ）に示すログイン画面６００において、ユーザＩＤ入力領域６０１およびパスワード入力領域６０２に各情報が入力され、ＯＫボタン６０４が押下された後に表示される表示画面例（設定情報入力画面６１０）を示す。
【００８９】
設定情報入力画面６１０には、種類入力領域６１１と、設定情報入力領域６１２、６１３と、名称入力領域６１４と、キャンセルボタン６１５と、ＯＫボタン６１６とが設けられている。
【００９０】
種類入力領域６１１は、登録すべき設定情報のネットワークの種類を入力するための領域である。例えば、プルダウンボタンの押下によりネットワークを一覧表示させ、この一覧表示の中から、登録すべき設定情報のネットワークの種類を選択することができる。
【００９１】
設定情報入力領域６１２、６１３は、登録すべき設定情報を入力するための領域である。この設定情報は、種類入力領域６１１において選択されたネットワークの種類に応じて、入力領域が表示される。例えば、種類入力領域６１１において家庭内無線ＬＡＮが選択された場合には、設定情報入力領域６１２、６１３として、ＳＳＩＤおよびパスワード（ＫＥＹ）を入力するための領域が表示される。
【００９２】
名称入力領域６１４は、各無線ＬＡＮを識別するための名称を入力するための領域である。
【００９３】
このように、各入力領域に各情報が入力され、ＯＫボタン６１６が押下されると、制御部４３０は、入力された各情報を含む登録情報（図８に示す）を設定サーバ２００に送信する。そして、この登録情報が、図４に示す設定情報管理データベース２３０の登録情報２３５に格納される。
【００９４】
なお、各入力領域に入力された内容をキャンセルする場合には、キャンセルボタン６１５を押下する。
【００９５】
［設定情報の登録時における通信例］
図８は、本技術の第１の実施の形態における通信システム１００を構成する各装置間における通信処理例を示すシーケンスチャートである。図８では、ユーザが第１無線通信装置４００を用いて設定情報を設定サーバ２００に登録する例を示す。
【００９６】
また、上述したように、第１無線通信装置４００は、３Ｇネットワーク、家庭内無線ＬＡＮに対応しているものとする。また、図２に示すように、第１無線通信装置４００は、３Ｇネットワークの契約認証情報４０１と、家庭内無線ＬＡＮの設定情報４０２とを保持している。
【００９７】
最初に、ユーザによりログイン操作が行われる（７０１）。例えば、図７（ａ）に示すログイン画面６００において、ユーザＩＤ入力領域６０１およびパスワード入力領域６０２に各情報が入力され、ＯＫボタン６０４が押下されることにより、ログイン操作が行われる（７０１）。ログイン操作が行われた場合には（７０１）、ログイン要求が設定サーバ２００に送信される（７０２、７０３）。このログイン要求には、ログイン操作に応じた各情報（例えば、ユーザＩＤ、パスワード、端末識別情報）が含まれる。なお、第１無線通信装置４００は、３Ｇネットワークの契約認証情報および家庭内無線ＬＡＮの設定情報を保持しているため、これらのうちの何れかを介してログイン要求が設定サーバ２００に送信される（７０２、７０３）。
【００９８】
設定サーバ２００がログイン要求を受信した場合には（７０３）、設定サーバ２００の制御部２２０は、そのログイン要求を送信した第１無線通信装置４００について認証処理を行う（７０４）。
【００９９】
具体的には、制御部２２０は、設定情報管理データベース２３０の各内容と、ログイン要求に含まれる各情報とを比較して認証処理を行う（７０４）。すなわち、設定情報管理データベース２３０のユーザＩＤ２３１、パスワード２３２および端末識別情報２３３と、ログイン要求に含まれるユーザＩＤ、パスワードおよび端末識別情報とのそれぞれが一致するか否かを判断する。そして、ユーザＩＤ、パスワードおよび端末識別情報のそれぞれが一致する場合には、認証が成功したと判断される。一方、ユーザＩＤ、パスワードおよび端末識別情報の少なくとも１つが一致しない場合には、認証が失敗したと判断される。このように、認証が失敗した場合には、その旨を第１無線通信装置４００に送信して表示させ、再度のログイン操作を促すことができる。または、エラー通知を第１無線通信装置４００に送信して表示させるようにしてもよい。このように、認証が失敗した場合には、設定情報の登録処理を終了する。
【０１００】
認証が成功した場合には、制御部２２０は、認証結果を第１無線通信装置４００に送信する（７０５、７０６）。この認証結果には、設定情報入力画面（例えば、図７（ｂ）に示す設定情報入力画面６１０）を表示させるための情報が含まれる。
【０１０１】
第１無線通信装置４００が認証結果を受信した場合には（７０６）、第１無線通信装置４００の制御部４３０は、その認証結果に基づいて設定情報入力画面を表示部４７０に表示させる（７０７）。例えば、図７（ｂ）に示す設定情報入力画面６１０が表示される（７０７）。
【０１０２】
続いて、表示部４７０に表示されている設定情報入力画面において、ユーザによる設定情報入力操作が行われる（７０８）。例えば、図７（ｂ）に示す設定情報入力画面６１０において、各入力領域に各情報が入力され、ＯＫボタン６１６が押下される（７０８）。このように、設定情報入力画面において設定情報入力操作が行われた場合には（７０８）、第１無線通信装置４００の制御部４３０は、その設定情報入力操作に応じた登録情報を、設定サーバ２００に送信する（７０９、７１０）。ここで、設定情報入力操作に応じた登録情報には、例えば、種類、設定情報、名称、位置情報（例えば、設定情報に対応する無線ＬＡＮの位置情報）が含まれる。
【０１０３】
設定サーバ２００が登録情報を受信した場合には（７１０）、設定サーバ２００の制御部２２０は、その登録情報を設定情報管理データベース２３０に記録して登録する（７１１）。
【０１０４】
［設定情報の取得時における表示遷移例］
図９および図１０は、本技術の第１の実施の形態における第１無線通信装置４００および第２無線通信装置５００の表示部４７０に表示される表示画面例を示す図である。
【０１０５】
図９および図１０では、第１無線通信装置４００を用いて設定サーバ２００に登録された設定情報を、第２無線通信装置５００が取得する例を示す。なお、第２無線通信装置５００の各構成については、第１無線通信装置４００と略同様であるため、第２無線通信装置５００の各部を説明する際には、第１無線通信装置４００と同一の符号を用いて説明する。また、図９および図１０に示す各表示画面は、例えば、設定サーバ２００から送信される各情報に基づいて表示される。
【０１０６】
図９（ａ）には、第１無線通信装置４００の表示部４７０に表示される表示画面例を示す。具体的には、設定サーバ２００に登録されている設定情報にアクセスを許可するためのアクセス許可要求操作を行うための表示画面の一例（アクセス許可要求画面６２０）を示す。
【０１０７】
アクセス許可要求画面６２０には、許可デバイス情報入力領域６２１と、キャンセルボタン６２２と、ＯＫボタン６２３とが設けられている。
【０１０８】
許可デバイス情報入力領域６２１は、設定サーバ２００に登録されている設定情報にアクセスを許可する無線通信装置（第２無線通信装置５００）を特定するための情報（許可デバイス情報）を入力するための領域である。なお、本技術の第１の実施の形態では、許可デバイス情報として、電子メールアドレスを用いる例を示す。例えば、第２無線通信装置５００の電子メールアドレスとして「▽○□＠○▽．ｊｐ」が入力される。
【０１０９】
ここで、許可デバイス情報入力領域６２１に電子メールアドレスが入力され、ＯＫボタン６２３が押下されると、制御部４３０は、入力された電子メールアドレスを含むアクセス許可要求（図１１に示す）を設定サーバ２００に送信する。
【０１１０】
なお、許可デバイス情報入力領域６２１に入力された内容をキャンセルする場合には、キャンセルボタン６２２を押下する。
【０１１１】
なお、図９（ａ）では、第２無線通信装置５００の電子メールアドレスをユーザが入力する例を示すが、第２無線通信装置５００の電子メールアドレスが予め登録されている場合には、この電子メールアドレスを用いて入力操作を省略することができる。この場合には、例えば、図９（ａ）に示すアクセス許可要求画面６２０における許可デバイス情報入力領域６２１にその登録されている電子メールアドレスを表示させることができる。このため、ユーザは、その表示されている電子メールアドレスを確認後にＯＫボタン６２３の押下操作を行うのみでよい。
【０１１２】
図９（ｂ）には、第２無線通信装置５００の表示部４７０に表示される表示画面例を示す。具体的には、図９（ａ）に示すアクセス許可要求画面６２０において、許可デバイス情報入力領域６２１に電子メールアドレスが入力され、ＯＫボタン６２３が押下された後に表示される表示画面例（アクセス情報通知画面６３０）を示す。
【０１１３】
アクセス情報通知画面６３０には、アクセス許可元表示領域６３１と、アクセス情報表示領域６３２と、メニューへボタン６３３とが設けられている。
【０１１４】
アクセス許可元表示領域６３１は、設定サーバ２００に登録されている設定情報へのアクセスを許可したユーザに関する情報を表示する領域である。アクセス許可元表示領域６３１には、例えば、図４に示すユーザ名称２３４の内容が表示される。
【０１１５】
アクセス情報表示領域６３２は、設定サーバ２００に登録されている設定情報にアクセスする際に用いられる情報を表示する領域である。例えば、設定サーバ２００にアクセスするためのＵＲＬ「ｈｔｔｐ：／／△□△□△□△□」がアクセス情報として表示される。例えば、アクセス操作（例えば、アクセス情報表示領域６３２に表示されているＵＲＬの押下操作）を行うことにより、設定サーバ２００に登録されている設定情報にアクセスすることができる。
【０１１６】
メニューへボタン６３３は、メニュー画面に遷移する際に押下されるボタンである。
【０１１７】
図１０には、第２無線通信装置５００の表示部４７０に表示される表示画面例を示す。具体的には、図９（ｂ）に示すアクセス情報通知画面６３０において、アクセス操作（例えば、アクセス情報表示領域６３２に表示されているＵＲＬの押下操作）が行われた後に表示される表示画面例（設定情報取得通知画面６３５）を示す。
【０１１８】
設定情報取得通知画面６３５には、設定情報表示領域６３６と、接続指示ボタン６３７と、メニューへボタン６３８とが設けられている。
【０１１９】
設定情報表示領域６３６は、設定サーバ２００から取得された設定情報に関する各情報を表示する領域である。設定情報表示領域６３６には、例えば、図４に示すユーザ名称２３４と、登録情報２３５の名称とが表示される。
【０１２０】
接続指示ボタン６３７は、設定サーバ２００から取得された設定情報を用いて接続処理を行う際に押下されるボタンである。
【０１２１】
メニューへボタン６３８は、メニュー画面に遷移する際に押下されるボタンである。
【０１２２】
［設定情報の取得時における通信例］
図１１は、本技術の第１の実施の形態における通信システム１００を構成する各装置間における通信処理例を示すシーケンスチャートである。
【０１２３】
図１１では、第１無線通信装置４００が保持している家庭内無線ＬＡＮの設定情報（設定情報４０２）が設定サーバ２００に登録されているものとする。また、図１１では、ユーザが所有する第１無線通信装置４００を操作して、ユーザの友人が所有する第２無線通信装置５００が設定サーバ２００に登録されている設定情報を取得する例を示す。
【０１２４】
また、上述したように、第１無線通信装置４００および第２無線通信装置５００のそれぞれは、３Ｇネットワーク、家庭内無線ＬＡＮに対応しているものとする。また、図２に示すように、第２無線通信装置５００は、家庭内無線ＬＡＮの設定情報を保持していないため、家庭内無線ＬＡＮを利用することができない。
【０１２５】
また、第１無線通信装置４００のユーザは、第２無線通信装置５００を所有する友人の電子メールアドレスを知っているか、または、その電子メールアドレスを第１無線通信装置４００に登録しているものとする。
【０１２６】
最初に、ユーザによりログイン操作が行われる（７２１）。例えば、ログイン画面（図７（ａ）に示すログイン画面６００に相当する表示画面）において、ユーザＩＤおよびパスワードが入力され、ＯＫボタンが押下されることにより、ログイン操作が行われる（７２１）。ログイン操作が行われた場合には（７２１）、ログイン要求が設定サーバ２００に送信される（７２２、７２３）。このログイン要求は、設定サーバ２００に登録されている設定情報（家庭内無線ＬＡＮの設定情報）についてのアクセス許可を行うための要求であり、ログイン操作に応じた各情報（例えば、ユーザＩＤ、パスワード、端末識別情報）が含まれる。なお、第１無線通信装置４００は、３Ｇネットワークの契約認証情報および家庭内無線ＬＡＮの設定情報を保持しているため、これらのうちの何れかを介してログイン要求が設定サーバ２００に送信される（７２２、７２３）。
【０１２７】
設定サーバ２００がログイン要求を受信した場合には（７２３）、設定サーバ２００の制御部２２０は、そのログイン要求を送信した第１無線通信装置４００について認証処理を行う（７２４）。
【０１２８】
具体的には、制御部２２０は、設定情報管理データベース２３０の各内容と、ログイン要求に含まれる各情報とを比較して認証処理を行う（７２４）。なお、この認証処理については、図８に示す認証処理（７０４）と同様であるため、ここでの説明を省略する。
【０１２９】
認証が成功した場合には、制御部２２０は、認証結果を第１無線通信装置４００に送信する（７２５、７２６）。この認証結果には、設定情報入力画面（例えば、図９（ａ）に示すアクセス許可要求画面６２０）を表示させるための情報が含まれる。
【０１３０】
第１無線通信装置４００が認証結果を受信した場合には（７２６）、第１無線通信装置４００の制御部４３０は、その認証結果に基づいてアクセス許可要求画面を表示部４７０に表示させる（７２７）。例えば、図９（ａ）に示すアクセス許可要求画面６２０が表示される（７２７）。
【０１３１】
続いて、アクセス許可要求画面においてアクセスを許可する無線通信装置を指定するための許可デバイス情報入力操作が行われる（７２８）。例えば、図９（ａ）に示すアクセス許可要求画面６２０において、許可デバイス情報入力領域６２１に電子メールアドレスが入力され、ＯＫボタン６２３が押下されることにより、許可デバイス情報入力操作が行われる（７２８）。許可デバイス情報入力操作が行われた場合には（７２８）、アクセス許可要求が設定サーバ２００に送信される（７２９、７３０）。このアクセス許可要求は、設定サーバ２００に登録されている設定情報へのアクセスを許可する無線通信装置へのアクセス情報の送信を要求するものであり、許可デバイス情報入力操作に応じた各情報（例えば、電子メールアドレス、端末識別情報）が含まれる。
【０１３２】
設定サーバ２００がアクセス許可要求を受信した場合には（７３０）、設定サーバ２００の制御部２２０は、そのアクセス許可要求に含まれる許可デバイス情報に係る無線通信装置（第２無線通信装置５００）にアクセス情報を送信する（７３１、７３２）。このアクセス情報は、設定サーバ２００に登録されている設定情報にアクセスするための情報であり、例えば、アクセス情報通知画面（例えば、図９（ｂ）に示すアクセス情報通知画面６３０）を表示させるための情報が含まれる。また、例えば、そのアクセス許可要求に含まれる電子メールアドレスに基づいて、アクセス情報が電子メールとして送信される。なお、このアクセス情報に含まれるＵＲＬは、セキュリティの観点から、例えば、所定時間内（例えば、３０分以内）のみ利用可能とすることができる。
【０１３３】
第２無線通信装置５００がアクセス情報を受信した場合には（７３２）、第２無線通信装置５００の制御部４３０は、そのアクセス情報に基づいてアクセス情報通知画面を表示部４７０に表示させる（７３３）。例えば、図９（ｂ）に示すアクセス情報通知画面６３０が表示される（７２７）。
【０１３４】
続いて、アクセス情報通知画面において、設定サーバ２００に登録されている設定情報にアクセスするためのアクセス操作が行われる（７３４）。例えば、図９（ｂ）に示すアクセス情報通知画面６３０において、アクセス情報表示領域６３２に表示されているＵＲＬの押下操作が行われることにより、アクセス操作が行われる（７３４）。アクセス操作が行われた場合には（７３４）、アクセス要求が設定サーバ２００に送信される（７３５、７３６）。このアクセス要求は、設定サーバ２００に登録されている設定情報にアクセスして設定情報を取得するための要求であり、アクセス操作に応じた各情報（例えば、電子メールアドレス、端末識別情報）が含まれる。
【０１３５】
設定サーバ２００がアクセス要求を受信した場合には（７３６）、設定サーバ２００の制御部２２０は、確認処理を行う（７３７）。例えば、制御部２２０は、アクセス情報を送信した無線通信装置の各情報（例えば、電子メールアドレス）と、アクセス要求に含まれる各情報（例えば、電子メールアドレス）とを比較して確認処理を行う（７３７）。そして、比較対象となる各情報のそれぞれが一致する場合には、設定情報にアクセス可能であると判定される。一方、比較対象となる各情報の少なくとも１つが一致しない場合には、設定情報にアクセス不可能であると判定される。
【０１３６】
設定情報にアクセス可能であると判定された場合には、設定サーバ２００の制御部２２０は、そのアクセス要求を送信した無線通信装置（第２無線通信装置５００）に、設定情報を送信する（７３８、７３９）。この設定情報の送信先は、例えば、そのアクセス要求に含まれる各情報（例えば、電子メールアドレス、端末識別情報）により特定される。
【０１３７】
第２無線通信装置５００が設定情報を受信した場合には（７３９）、第２無線通信装置５００の制御部４３０は、その設定情報を設定情報記憶部４５５に記憶させる（７４０）。続いて、第２無線通信装置５００の制御部４３０は、その旨を表示部４７０に表示させる（７４１）。例えば、図１０に示す設定情報取得通知画面６３５が表示される（７４１）。
【０１３８】
また、設定情報取得通知画面６３５において、接続指示ボタン６３７の押下操作が行われた場合には（７４２）、第２無線通信装置５００の制御部４３０は、その押下操作に対応する接続処理を行う（７４３）。すなわち、設定サーバ２００から取得された設定情報を用いて、家庭内無線ＬＡＮへの接続処理が行われる。
【０１３９】
接続指示ボタン６３７の押下操作が行われない場合でも（７４２）、第２無線通信装置５００の制御部４３０は、家庭内無線ＬＡＮの初回接続時に、設定サーバ２００から取得された設定情報を用いることができる。
【０１４０】
このように、第１無線通信装置４００は、アクセス情報を送信するための送信先情報（例えば、電子メールアドレス）をユーザ操作により受け付けた際に、その送信先情報を含むアクセス許可要求を設定サーバ２００に送信する。また、設定サーバ２００の制御部２２０は、そのアクセス許可要求に含まれる送信先情報に基づいて、第２無線通信装置５００にアクセス情報を送信する。
【０１４１】
また、第２無線通信装置５００は、設定サーバ２００から送信されたアクセス情報を用いたユーザ操作（設定情報を取得するためのユーザ操作）が受け付けられた場合に、設定サーバ２００にアクセスする。そして、設定サーバ２００の制御部２２０は、そのユーザ操作に応じてアクセスした第２無線通信装置５００に設定情報を提供する。
【０１４２】
このように、第２無線通信装置５００は、比較的容易なアクセス操作（例えば、ＵＲＬの押下操作）のみを行うことにより、設定情報を設定サーバ２００から受信して保存することができる。
【０１４３】
［設定情報の取得時における遷移例］
図１２は、本技術の第１の実施の形態における第２無線通信装置５００の設定情報の取得時における遷移例を模式的に示す図である。
【０１４４】
図１２（ａ）には、アクセス要求を送信する前における第２無線通信装置５００の契約認証情報および設定情報の保持状態を示す。図１２（ｂ）には、設定サーバ２００から設定情報（設定情報５０２）を取得した後における第２無線通信装置５００の契約認証情報および設定情報の保持状態を示す。
【０１４５】
図１２（ｂ）に示すように、設定サーバ２００から設定情報を取得して保存した場合には、第２無線通信装置５００は、３Ｇネットワーク、家庭内無線ＬＡＮの何れについても利用することが可能となる。
【０１４６】
［設定サーバの動作例］
図１３は、本技術の第１の実施の形態における設定サーバ２００による通信処理の処理手順の一例を示すフローチャートである。
【０１４７】
最初に、制御部２２０は、ログイン要求を受信したか否を判断し（ステップＳ９０１）、ログイン要求を受信していない場合には、監視を継続して行う。一方、ログイン要求を受信した場合には（ステップＳ９０１）、制御部２２０は、そのログイン要求を送信した無線通信装置について認証処理を行う（ステップＳ９０２）。そして、認証が成功した場合には（ステップＳ９０２）、制御部２２０は、その無線通信装置に認証結果を送信する（ステップＳ９０３）。
【０１４８】
続いて、制御部２２０は、アクセス許可要求を受信したか否を判断し（ステップＳ９０４）、アクセス許可要求を受信していない場合には、監視を継続して行う。一方、アクセス許可要求を受信した場合には（ステップＳ９０４）、制御部２２０は、そのアクセス許可要求に含まれる許可デバイス情報に係る無線通信装置にアクセス情報を送信する（ステップＳ９０５）。
【０１４９】
続いて、制御部２２０は、アクセス要求を受信したか否かを判断し（ステップＳ９０６）、アクセス要求を受信していない場合には、監視を継続して行う。一方、アクセス要求を受信した場合には（ステップＳ９０６）、制御部２２０は、確認処理を行う（ステップＳ９０７）。そして、設定情報にアクセス可能であると判定された場合には（ステップＳ９０７）、制御部２２０は、そのアクセス要求を送信した無線通信装置に設定情報を送信する（ステップＳ９０８）。なお、ステップＳ９０４は、特許請求の範囲に記載の受付手順の一例である。また、ステップＳ９０５乃至Ｓ９０８は、特許請求の範囲に記載の制御手順の一例である。
【０１５０】
＜２．第２の実施の形態＞
本技術の第１の実施の形態では、電子メールアドレスを用いて設定情報の送信先を指定する例を示した。ここで、近年では、ＳＮＳ（Social Networking Service）を利用して友人リストを登録する技術が広く普及している。このため、ＳＮＳを利用して設定情報の送信先を指定することも可能であると考えられる。
【０１５１】
そこで、本技術の第２の実施の形態では、ＳＮＳを利用して設定情報の送信先を指定する例を示す。なお、本技術の第２の実施の形態における通信システムの構成については、図２等に示す例と略同様である。このため、本技術の第１の実施の形態と共通する部分については、同一の符号を付して、これらの説明の一部を省略する。
【０１５２】
［設定情報の取得時における表示遷移例］
図１４は、本技術の第２の実施の形態における第１無線通信装置４００および第２無線通信装置５００の表示部４７０に表示される表示画面例を示す図である。
【０１５３】
図１４では、ＳＮＳを利用して設定サーバ２００に登録された設定情報を第２無線通信装置５００が取得する例を示す。また、図１４（ａ）に示す表示画面は、例えば、設定サーバ２００から送信される各情報に基づいて表示される。また、図１４（ｂ）に示す表示画面は、例えば、情報処理装置（ＳＮＳ）３００から送信される各情報に基づいて表示される。
【０１５４】
図１４（ａ）には、第１無線通信装置４００の表示部４７０に表示される表示画面例を示す。具体的には、情報処理装置（ＳＮＳ）３００に登録されている友人リストを用いて、設定サーバ２００に登録されている設定情報にアクセスを許可するためのアクセス許可要求操作を行うための表示画面の一例（アクセス許可要求画面６４０）を示す。
【０１５５】
アクセス許可要求画面６４０には、友人選択ボタン６４１、６４２と、キャンセルボタン６４３と、ＯＫボタン６４４とが設けられている。
【０１５６】
友人選択ボタン６４１、６４２は、設定サーバ２００に登録されている設定情報へのアクセスを許可する無線通信装置（第２無線通信装置５００）を選択するためのボタンである。例えば、情報処理装置（ＳＮＳ）３００に登録されている友人リスト（図５に示す友人リスト３３４）に対応するボタンが表示される。
【０１５７】
例えば、友人選択ボタン６４１、６４２のうちから、設定情報にアクセスを許可する無線通信装置の友人のボタンが押下され、ＯＫボタン６４４が押下される。この押下操作が行われると、制御部４３０は、押下されたボタンに対応する選択情報（図１５に示す）を設定サーバ２００に送信する。
【０１５８】
なお、友人選択ボタン６４１、６４２の選択をキャンセルする場合には、キャンセルボタン６４３を押下する。
【０１５９】
図１４（ｂ）には、第２無線通信装置５００の表示部４７０に表示される表示画面例を示す。具体的には、図１４（ａ）に示すアクセス許可要求画面６４０において、設定情報にアクセスを許可する無線通信装置の友人のボタンが押下され、ＯＫボタン６４４が押下された後に表示される表示画面例（アクセス情報通知画面６５０）を示す。
【０１６０】
アクセス情報通知画面６５０には、アクセス許可元表示領域６５１と、アクセス情報表示領域６５２と、メニューへボタン６５３とが設けられている。
【０１６１】
アクセス許可元表示領域６５１は、設定サーバ２００に登録されている設定情報へのアクセスを許可したユーザに関する情報を表示する領域である。アクセス許可元表示領域６５１には、例えば、図５に示すユーザ名称３３３の内容が表示される。
【０１６２】
アクセス情報表示領域６５２は、設定サーバ２００に登録されている設定情報にアクセスする際に用いられる情報を表示する領域である。例えば、設定サーバ２００にアクセスするためのＵＲＬ「ｈｔｔｐ：／／△□△□△□△□」がアクセス情報として表示される。例えば、アクセス操作（例えば、アクセス情報表示領域６５２に表示されているＵＲＬの押下操作）を行うことにより、設定サーバ２００に登録されている設定情報にアクセスすることができる。
【０１６３】
メニューへボタン６５３は、メニュー画面に遷移する際に押下されるボタンである。
【０１６４】
［設定情報の取得時における通信例］
図１５および図１６は、本技術の第２の実施の形態における通信システム１００を構成する各装置間における通信処理例を示すシーケンスチャートである。
【０１６５】
図１５および図１６では、第１無線通信装置４００が保持している家庭内無線ＬＡＮの設定情報（設定情報４０２）が設定サーバ２００に登録されているものとする。また、図１５および図１６では、第１無線通信装置４００を所有するユーザがＳＮＳに登録されている友人リストを利用して、ユーザの友人が所有する第２無線通信装置５００に、設定サーバ２００に登録されている設定情報を取得させる例を示す。
【０１６６】
また、上述したように、第１無線通信装置４００および第２無線通信装置５００のそれぞれは、３Ｇネットワーク、家庭内無線ＬＡＮに対応しているものとする。また、図２に示すように、第２無線通信装置５００は、家庭内無線ＬＡＮの設定情報を保持していないため、家庭内無線ＬＡＮを利用することができない。
【０１６７】
また、第２無線通信装置５００を所有する友人は、第１無線通信装置４００を所有するユーザの友人（例えば、図５に示す友人リスト３３４の「ゲスト君」）として、情報処理装置（ＳＮＳ）３００の友人リストに登録されているものとする。
【０１６８】
最初に、ユーザにより友人リスト取得要求操作が行われる（７５１）。例えば、ログイン画面において、ユーザＩＤおよびパスワード（設定サーバ２００および情報処理装置（ＳＮＳ）３００のそれぞれのユーザＩＤおよびパスワード）が入力され、ＯＫボタンが押下される。これにより、友人リスト取得要求操作が行われる（７５１）。友人リスト取得要求操作が行われた場合には（７５１）、友人リスト取得要求が設定サーバ２００に送信される（７５２、７５３）。この友人リスト取得要求は、情報処理装置（ＳＮＳ）３００に登録されている友人リストを取得するための要求であり、友人リスト取得要求操作に応じた各情報（例えば、各ユーザＩＤ、各パスワード、端末識別情報）が含まれる。
【０１６９】
設定サーバ２００が友人リスト取得要求を受信した場合には（７５３）、設定サーバ２００の制御部２２０は、その友人リスト取得要求を送信した第１無線通信装置４００について認証処理を行う（７５４）。
【０１７０】
具体的には、制御部２２０は、設定情報管理データベース２３０の各内容と、友人リスト取得要求に含まれる各情報とを比較して認証処理を行う（７５４）。なお、この認証処理については、図８に示す認証処理（７０４）と同様であるため、ここでの説明を省略する。
【０１７１】
認証が成功した場合には、制御部２２０は、友人リスト取得要求を情報処理装置（ＳＮＳ）３００に送信する（７５５、７５６）。この友人リスト取得要求は、情報処理装置（ＳＮＳ）３００に登録されている友人リストを取得するための要求であり、友人リスト取得要求操作に応じた各情報（例えば、情報処理装置（ＳＮＳ）３００のユーザＩＤおよびパスワード）が含まれる。
【０１７２】
情報処理装置（ＳＮＳ）３００が友人リスト取得要求を受信した場合には（７５６）、情報処理装置（ＳＮＳ）３００の制御部３２０は、その友人リスト取得要求を送信した第１無線通信装置４００のユーザについて認証処理を行う（７５７）。
【０１７３】
具体的には、制御部３２０は、友人リスト管理データベース３３０の各内容と、友人リスト取得要求に含まれる各情報とを比較して認証処理を行う（７５７）。例えば、友人リスト管理データベース３３０のユーザＩＤ３３１およびパスワード３３２と、友人リスト取得要求に含まれるユーザＩＤおよびパスワードとのそれぞれが一致するか否かに基づいて認証処理が行われる。なお、認証が失敗した場合には、その旨を設定サーバ２００に送信して、再度のログイン操作を促すことができる。または、エラー通知を設定サーバ２００に送信して、その旨を第１無線通信装置４００に表示させるようにしてもよい。このように、認証が失敗した場合には、設定情報の取得処理を終了する。
【０１７４】
認証が成功した場合には、情報処理装置（ＳＮＳ）３００の制御部３２０は、友人リスト情報（例えば、図５に示す友人リスト３３４の内容）を設定サーバ２００に送信する（７５８、７５９）。設定サーバ２００が友人リスト情報を受信した場合には（７５９）、設定サーバ２００の制御部２２０は、それに対応する友人リスト情報を第１無線通信装置４００に送信する（７６０、７６１）。この友人リスト情報には、アクセス許可要求画面（例えば、図１４（ａ）に示すアクセス許可要求画面６４０）を表示させるための情報が含まれる。
【０１７５】
第１無線通信装置４００が友人リスト情報を受信した場合には（７６１）、第１無線通信装置４００の制御部４３０は、その友人リスト情報に基づいてアクセス許可要求画面を表示部４７０に表示させる（７６２）。例えば、図１４（ａ）に示すアクセス許可要求画面６４０が表示される（７６２）。
【０１７６】
続いて、アクセス許可要求画面においてアクセスを許可する無線通信装置を選択する選択操作が行われる（７６３）。例えば、図１４（ａ）に示すアクセス許可要求画面６４０において、友人選択ボタン６４１、６４２のうちの所望のボタンが押下され、ＯＫボタン６４４が押下されることにより、選択操作が行われる（７６３）。選択操作が行われた場合には（７６３）、選択情報が設定サーバ２００に送信される（７６４、７６５）。この選択情報は、設定サーバ２００に登録されている設定情報へのアクセスを許可する無線通信装置にアクセス情報の送信を要求するための情報であり、選択操作に応じた各情報（例えば、電子メールアドレス）が含まれる。
【０１７７】
設定サーバ２００が選択情報を受信した場合には（７６５）、設定サーバ２００の制御部２２０は、その選択情報に係る無線通信装置にメッセージを送信するためのメッセージ送信要求を情報処理装置（ＳＮＳ）３００に送信する（７６６、７６７）。このメッセージ送信要求には、メッセージを送信する無線通信装置を特定するための情報（例えば、電子メールアドレス）と、設定情報を取得するためのアクセス情報（例えば、ＵＲＬ）とが含まれる。なお、このアクセス情報に含まれるＵＲＬは、セキュリティの観点から、例えば、所定時間内（例えば、３０分以内）のみ利用可能とすることができる。
【０１７８】
情報処理装置（ＳＮＳ）３００がメッセージ送信要求を受信した場合には（７６７）、情報処理装置（ＳＮＳ）３００の制御部３２０は、そのメッセージ送信要求に係る無線通信装置（第２無線通信装置５００）にメッセージ情報を送信する（７６８、７６９）。このメッセージ情報は、設定サーバ２００に登録されている設定情報にアクセスするための情報であり、例えば、アクセス情報通知画面（例えば、図１４（ｂ）に示すアクセス情報通知画面６５０）を表示させるための情報が含まれる。また、例えば、そのメッセージ送信要求に含まれる電子メールアドレスに基づいて、メッセージ情報が電子メールとして送信される。
【０１７９】
第２無線通信装置５００がメッセージ情報を受信した場合には（７６９）、第２無線通信装置５００の制御部４３０は、そのメッセージ情報に基づいてアクセス情報通知画面を表示部４７０に表示させる（７７０）。例えば、図１４（ｂ）に示すアクセス情報通知画面６５０が表示される（７７０）。
【０１８０】
なお、図１６に示す各処理（７７１乃至７８０）は、図１１に示す各処理（７３４乃至７４３）に対応する。このため、ここでの詳細な説明を省略する。
【０１８１】
このように、設定サーバ２００の制御部２２０は、選択情報を第１無線通信装置４００から受け付けた場合には、設定サーバ２００にアクセスするためのメッセージ情報の第２無線通信装置５００への送信を情報処理装置（ＳＮＳ）３００に要求する。なお、情報処理装置（ＳＮＳ）３００は、第１無線通信装置４００のユーザと第２無線通信装置５００のユーザとに関連する複数のユーザに関するユーザ情報を管理する管理装置の一例である。
【０１８２】
このように、ソーシャルネットワークサービス（ＳＮＳ）と連携することにより、来訪者の特定を容易に、かつ、確実に行うことができる。また、第２無線通信装置５００は、ソーシャルネットワークサービスを利用して設定情報を設定サーバ２００から受信して保存することができる。
【０１８３】
［設定サーバの動作例］
図１７は、本技術の第２の実施の形態における設定サーバ２００による通信処理の処理手順の一例を示すフローチャートである。
【０１８４】
最初に、制御部２２０は、友人リスト取得要求を受信したか否を判断し（ステップＳ９２１）、友人リスト取得要求を受信していない場合には、監視を継続して行う。一方、友人リスト取得要求を受信した場合には（ステップＳ９２１）、制御部２２０は、その友人リスト取得要求を送信した無線通信装置について認証処理を行う（ステップＳ９２２）。そして、認証が成功した場合には（ステップＳ９２２）、制御部２２０は、情報処理装置（ＳＮＳ）３００に友人リスト取得要求を送信する（ステップＳ９２３）。
【０１８５】
続いて、制御部２２０は、友人リスト情報を受信したか否を判断し（ステップＳ９２４）、友人リスト情報を受信していない場合には、監視を継続して行う。一方、友人リスト情報を受信した場合には（ステップＳ９２４）、制御部２２０は、その友人リスト取得要求を送信した無線通信装置に、友人リスト情報を送信する（ステップＳ９２５）。
【０１８６】
続いて、制御部２２０は、選択情報を受信したか否を判断し（ステップＳ９２６）、選択情報を受信していない場合には、監視を継続して行う。一方、選択情報を受信した場合には（ステップＳ９２６）、制御部２２０は、情報処理装置（ＳＮＳ）３００にメッセージ送信要求を送信する（ステップＳ９２７）。
【０１８７】
続いて、制御部２２０は、アクセス要求を受信したか否かを判断し（ステップＳ９２８）、アクセス要求を受信していない場合には、監視を継続して行う。一方、アクセス要求を受信した場合には（ステップＳ９２８）、制御部２２０は、確認処理を行う（ステップＳ９２９）。そして、設定情報にアクセス可能であると判定された場合には（ステップＳ９２９）、制御部２２０は、そのアクセス要求を送信した無線通信装置に設定情報を送信する（ステップＳ９３０）。
【０１８８】
＜３．第３の実施の形態＞
本技術の第１および第２の実施の形態では、ホスト側のユーザ操作に基づいて設定情報を取得する例を示した。ここで、位置情報を用いて設定情報を取得することも想定される。
【０１８９】
そこで、本技術の第３の実施の形態では、位置情報を用いて設定情報を取得する例を示す。なお、本技術の第３の実施の形態における通信システムの構成については、図２等に示す例と略同様である。このため、本技術の第１の実施の形態と共通する部分については、同一の符号を付して、これらの説明の一部を省略する。
【０１９０】
［設定情報の取得時における表示遷移例］
図１８は、本技術の第３の実施の形態における第２無線通信装置５００の表示部４７０に表示される表示画面例を示す図である。
【０１９１】
図１８では、位置情報を利用して設定サーバ２００に登録された設定情報を、第２無線通信装置５００のみを用いて取得する例を示す。また、図１８に示す各表示画面は、例えば、設定サーバ２００から送信される各情報に基づいて表示される。
【０１９２】
図１８（ａ）には、第２無線通信装置５００の表示部４７０に表示される表示画面例を示す。具体的には、設定サーバ２００に登録されている設定情報にアクセスを許可するためのアクセス許可要求操作を行うための表示画面の一例（アクセス許可要求画面６６０）を示す。
【０１９３】
アクセス許可要求画面６６０には、無線ＬＡＮ選択ボタン６６１乃至６６３と、キャンセルボタン６６４と、ＯＫボタン６６５とが設けられている。
【０１９４】
無線ＬＡＮ選択ボタン６６１乃至６６３は、設定サーバ２００に登録されている設定情報に対応する無線ＬＡＮを選択するためのボタンである。例えば、設定サーバ２００に登録されている設定情報に対応する名称が付されたボタンが表示される。ここで、無線ＬＡＮ選択ボタン６６１乃至６６３は、例えば、第１無線通信装置４００におけるユーザ操作（取得許可操作）に基づいて表示させるようにしてもよく、
【０１９５】
ここで、無線ＬＡＮ選択ボタン６６１乃至６６３のうちから、使用する無線ＬＡＮに対応するボタンが押下され、ＯＫボタン６６５が押下されると、制御部４３０は、押下されたボタンに対応するアクセス許可要求（図１９に示す）を設定サーバ２００に送信する。
【０１９６】
なお、無線ＬＡＮ選択ボタン６６１乃至６６３の選択をキャンセルする場合には、キャンセルボタン６６４を押下する。
【０１９７】
図１８（ｂ）には、第２無線通信装置５００の表示部４７０に表示される表示画面例を示す。具体的には、図１８（ａ）に示すアクセス許可要求画面６６０において、使用する無線ＬＡＮに対応するボタンが押下され、ＯＫボタン６６５が押下された後に、所定条件を満たす場合に表示される表示画面例（設定情報取得通知画面６７０）を示す。ここで、所定条件を満たす場合は、第２無線通信装置５００が存在する位置が、選択された無線ＬＡＮに対応する設定情報を用いた無線通信が可能なエリア（選択された無線ＬＡＮのエリア）に含まれる場合である。
【０１９８】
設定情報取得通知画面６７０には、設定情報表示領域６７１と、接続指示ボタン６７２と、メニューへボタン６７３とが設けられている。
【０１９９】
設定情報表示領域６７１は、設定サーバ２００から取得された設定情報に関する各情報を表示する領域である。
【０２００】
接続指示ボタン６７２は、設定サーバ２００から取得された設定情報を用いて接続処理を行う際に押下されるボタンである。
【０２０１】
メニューへボタン６７３は、メニュー画面に遷移する際に押下されるボタンである。
【０２０２】
［設定情報の取得時における通信例］
図１９は、本技術の第３の実施の形態における通信システム１００を構成する各装置間における通信処理例を示すシーケンスチャートである。
【０２０３】
図１９では、第１無線通信装置４００が保持している家庭内無線ＬＡＮの設定情報（設定情報４０２）が設定サーバ２００に登録されているものとする。また、図１９では、位置情報管理サーバ１４０により管理されている位置情報を用いて、設定サーバ２００に登録されている設定情報を第２無線通信装置５００が取得する例を示す。
【０２０４】
また、上述したように、第２無線通信装置５００は、３Ｇネットワーク、家庭内無線ＬＡＮに対応しているものとする。また、図２に示すように、第２無線通信装置５００は、家庭内無線ＬＡＮの設定情報も保持していないため、家庭内無線ＬＡＮを利用することができない。
【０２０５】
また、第２無線通信装置５００を所有するユーザは、第１無線通信装置４００を所有するユーザの許可を得て、図１８（ａ）に示すアクセス許可要求画面６６０を表示することが可能であるものとする。
【０２０６】
最初に、ユーザによりアクセス許可要求操作が行われる（７９１）。例えば、図１８（ａ）に示すアクセス許可要求画面６６０において、無線ＬＡＮ選択ボタン６６１乃至６６３のうちから、使用する無線ＬＡＮに対応するボタンが押下され、ＯＫボタン６６５が押下される。これにより、アクセス許可要求操作が行われる（７９１）。アクセス許可要求操作が行われた場合には（７９１）、アクセス許可要求が設定サーバ２００に送信される（７９２、７９３）。このアクセス許可要求は、使用可能な場所に到達した際に、設定サーバ２００に登録されている設定情報の取得を要求するものであり、アクセス許可要求操作に応じた各情報（例えば、端末識別情報）が含まれる。
【０２０７】
設定サーバ２００がアクセス許可要求を受信した場合には（７９３）、設定サーバ２００の制御部２２０は、そのアクセス許可要求に係るデバイス位置情報要求を位置情報管理サーバ１４０に送信する（７９４、７９５）。このデバイス位置情報要求は、そのアクセス許可要求を送信した第２無線通信装置５００に関する位置情報を要求するものであり、例えば、そのアクセス許可要求を送信した第２無線通信装置５００に関する各情報（例えば、端末識別情報）が含まれる。
【０２０８】
デバイス位置情報要求を受信した場合には（７９５）、位置情報管理サーバ１４０は、そのデバイス位置情報要求に係る無線通信装置（第２無線通信装置５００）に関連付けて記憶されている位置情報を取得する（７９６）。続いて、位置情報管理サーバ１４０は、その取得された位置情報（第２無線通信装置５００に関する位置情報）を設定サーバ２００に送信する（７９７、７９８）。
【０２０９】
設定サーバ２００が位置情報を受信した場合には（７９８）、設定サーバ２００の制御部２２０は、その位置情報に基づいて判定処理を行う（７９９）。例えば、アクセス許可要求を送信した無線通信装置が、アクセス許可要求に係る無線ＬＡＮ（アクセス許可要求操作により選択された無線ＬＡＮ）の位置を基準として所定範囲内に存在するか否かが判定される（７９９）。アクセス許可要求を送信した無線通信装置が、アクセス許可要求に係る無線ＬＡＮの位置を基準として所定範囲内に存在する場合には、設定サーバ２００の制御部２２０は、そのアクセス許可要求を送信した無線通信装置に設定情報を送信する（８００、８０１）。この場合には、アクセス許可要求に係る無線ＬＡＮの設定情報が送信される。
【０２１０】
第２無線通信装置５００が設定情報を受信した場合には（８０１）、第２無線通信装置５００の制御部４３０は、その設定情報を設定情報記憶部４５５に記憶させる（８０２）。続いて、第２無線通信装置５００の制御部４３０は、その旨を表示部４７０に表示させる（８０３）。例えば、図１９（ｂ）に示す設定情報取得通知画面６７０が表示される（８０３）。
【０２１１】
なお、アクセス許可要求を送信した無線通信装置が、アクセス許可要求に係る無線ＬＡＮの位置を基準として所定範囲内に存在しない場合には、設定サーバ２００の制御部２２０は、定期的または不定期に判定処理を繰り返し行う（７９９）。そして、アクセス許可要求を送信した無線通信装置が、アクセス許可要求に係る無線ＬＡＮの位置を基準として所定範囲内に達した際に、そのアクセス許可要求を送信した無線通信装置（第２無線通信装置５００）に設定情報が送信される（８００、８０１）。
【０２１２】
なお、図１９に示す各処理（８０４、８０５）は、図１１に示す各処理（７４２、７４３）に対応する。このため、ここでの詳細な説明を省略する。
【０２１３】
このように、設定サーバ２００の制御部２２０は、アクセス許可要求を第２無線通信装置５００から受け付けた場合には、第２無線通信装置５００に関する位置情報が所定条件を満たすことを条件に、設定情報を第２無線通信装置５００に提供する。例えば、制御部２２０は、その位置情報により特定される第２無線通信装置５００が存在する位置が、その設定情報を用いた無線通信が可能なエリアに含まれる場合に、所定条件を満たすと判断する。
【０２１４】
このように、第２無線通信装置５００は、選択された無線ＬＡＮを使用可能な場所に移動した直後に、設定情報を設定サーバ２００から受信して保存することができる。そして、その場所において、無線ＬＡＮを迅速に使用することができる。
【０２１５】
なお、本技術の第３の実施の形態では、位置情報管理サーバ１４０により管理されている位置情報を用いて判定処理（７９９）を行う例を示したが、第２無線通信装置５００により取得された位置情報を用いるようにしてもよい。例えば、第２無線通信装置５００は、位置情報取得部４８０により取得された位置情報をアクセス許可要求に含めて送信する（７９２、７９３）。そして、設定サーバ２００は、アクセス許可要求に含まれる位置情報を用いて判定処理（７９９）を行う。この場合には、設定サーバ２００および位置情報管理サーバ１４０間のやりとり（７９４乃至７９８）を省略することができる。
【０２１６】
このように、本技術の実施の形態によれば、無線ＬＡＮの新規ユーザ（例えば、ゲスト、友人）への使用許可を容易に行うことができる。例えば、来訪者が所有する無線通信装置を用いて自宅の家庭内無線ＬＡＮを使用する場合には、少ない設定作業で自宅の家庭内無線ＬＡＮを迅速に使用することができる。すなわち、無線ＬＡＮを新たに使用するユーザが、無線通信を容易に利用することができる。
【０２１７】
なお、本技術の実施の形態では、設定情報の管理と、ユーザ情報の管理とを異なる情報処理装置（設定サーバ２００、情報処理装置（ＳＮＳ）３００）により行う例を示した。ただし、これらの管理を一体の情報処理装置（または、情報処理システム）が行う場合についても、本技術の実施の形態を適用することができる。また、これらの情報処理装置が備える各部（例えば、制御部２２０、３２０）を複数の装置により構成する情報処理システムについても本技術の実施の形態を適用することができる。
【０２１８】
また、携帯型の無線通信装置（例えば、データ通信専用端末装置）や、固定型の無線通信装置に本技術の実施の形態を適用することができる。例えば、自動販売機のデータ収集を目的とする無線通信装置、エレベータ、自動車、電子機器（例えば、家電製品、ゲーム機、デジタルフォトフレーム）に搭載されている無線通信装置に本技術の実施の形態を適用することができる。
【０２１９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２２０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２２１】
なお、本技術は以下のような構成もとることができる。
（１）  無線通信を利用して所定のネットワークに接続する際における認証に用いられる情報であって第１無線通信装置に保持されている設定情報を管理する管理部と、
前記設定情報の要求を受け付けた際に前記要求に基づいて第２無線通信装置に前記設定情報を接続可能な通信経路を利用して提供するための制御を行う制御部と
を具備する情報処理装置。
（２）  前記制御部は、前記要求を前記第１無線通信装置から受け付けた場合には、前記第２無線通信装置に前記情報処理装置にアクセスするためのアクセス情報を送信して前記アクセス情報に応じてアクセスした前記第２無線通信装置に前記設定情報を提供する前記（１）に記載の情報処理装置。
（３）  前記第１無線通信装置は、前記アクセス情報を送信するための送信先情報をユーザ操作により受け付けた際に前記送信先情報を含む前記要求を前記情報処理装置に送信し、
前記制御部は、前記要求に含まれる前記送信先情報に基づいて前記第２無線通信装置に前記アクセス情報を送信する
前記（２）に記載の情報処理装置。
（４）  前記第２無線通信装置は、前記情報処理装置から送信されたアクセス情報を用いた前記設定情報を取得するためのユーザ操作が受け付けられた場合に前記情報処理装置にアクセスし、
前記制御部は、前記ユーザ操作に応じてアクセスした前記第２無線通信装置に前記設定情報を提供する
前記（２）または（３）に記載の情報処理装置。
（５）  前記制御部は、前記要求を前記第１無線通信装置から受け付けた場合には、前記第１無線通信装置のユーザと前記第２無線通信装置のユーザとに関連する複数のユーザに関するユーザ情報を管理する管理装置に、前記情報処理装置にアクセスするためのアクセス情報の前記第２無線通信装置への送信を要求する前記（１）に記載の情報処理装置。
（６）  前記管理装置は、会員制サービスに関する情報を前記ユーザ情報として管理する前記（５）に記載の情報処理装置。
（７）  前記制御部は、前記要求を前記第２無線通信装置から受け付けた場合には、前記第２無線通信装置に関する位置情報が所定条件を満たすことを条件に前記設定情報を前記第２無線通信装置に提供する前記（１）に記載の情報処理装置。
（８）  前記制御部は、前記位置情報により特定される前記第２無線通信装置が存在する位置が、前記設定情報を用いた無線通信が可能なエリアに含まれる場合に、前記所定条件を満たすと判断する前記（７）に記載の情報処理装置。
（９）  前記設定情報は、無線ＬＡＮを利用して前記ネットワークに接続する際における認証に用いられる情報である前記（１）から（８）のいずれかに記載の情報処理装置。
（１０）  前記管理部は、前記第１無線通信装置からの要求に応じて前記設定情報を登録するデータベースである前記（１）から（９）のいずれかに記載の情報処理装置。
（１１）  前記管理部は、前記第１無線通信装置のユーザ毎に１または複数の前記設定情報を登録するデータベースである前記（１）から（１０）のいずれかに記載の情報処理装置。
（１２）  無線通信を利用して所定のネットワークに接続する際における認証に用いられる設定情報を保持する第１無線通信装置と、
前記設定情報を管理する管理部と、前記設定情報の要求を受け付けた際に前記要求に基づいて前記設定情報を第２無線通信装置に提供するための制御を行う制御部とを備える情報処理装置と、
接続可能な通信経路を利用して前記設定情報を前記情報処理装置から受信して保存する第２無線通信装置と
を具備する通信システム。
（１３）  無線通信を利用して所定のネットワークに接続する際における認証に用いられる情報であって第１無線通信装置に保持されている設定情報の要求を前記第１無線通信装置から受け付ける受付手順と、
前記設定情報の要求が受け付けられた場合に、前記設定情報を管理する管理部に管理されている前記設定情報を第２無線通信装置に提供するための制御を行う制御手順と
を具備する情報処理方法。
【符号の説明】
【０２２２】
５０、６０  無線通信装置
１００  通信システム
１１０  ネットワーク
１２０  通信制御装置
１２１  基地局
１３０  ルータ（家庭内無線ＬＡＮ）
１３１  アクセスポイント
１４０  位置情報管理サーバ
２００  設定サーバ
２１０  通信部
２２０  制御部
２３０  設定情報管理データベース
３００  情報処理装置（ＳＮＳ）
３１０  通信部
３２０  制御部
３３０  友人リスト管理データベース
４００  第１無線通信装置
４１０  通信部
４１１  アンテナ
４１２  アンテナ共用部
４１３  復調部
４１４  変調部
４２０  無線ＬＡＮ通信部
４２１  アンテナ
４２２  アンテナ共用部
４２３  復調部
４２４  変調部
４３０  制御部
４３１  バス
４４０  メモリ
４５０  契約認証情報記憶部
４５５  設定情報記憶部
４６０  操作部
４７０  表示部
４８０  位置情報取得部
４９１  マイクロフォン
４９２  スピーカ
５００  第２無線通信装置
【図１】
2013211648.tif 000003
【図２】
2013211648.tif 000004
【図３】
2013211648.tif 000005
【図４】
2013211648.tif 000006
【図５】
2013211648.tif 000007
【図６】
2013211648.tif 000008
【図７】
2013211648.tif 000009
【図８】
2013211648.tif 000010
【図９】
2013211648.tif 000011
【図１０】
2013211648.tif 000012
【図１１】
2013211648.tif 000013
【図１２】
2013211648.tif 000014
【図１３】
2013211648.tif 000015
【図１４】
2013211648.tif 000016
【図１５】
2013211648.tif 000017
【図１６】
2013211648.tif 000018
【図１７】
2013211648.tif 000019
【図１８】
2013211648.tif 000020
【図１９】
2013211648.tif 000021